(57)【要約】音響装置の音質の制御において、その制御の状態と、その制御の状態によって決定される実際の音質の関係が、一般のユーザにはわかりにくい。色によって音質の設定状態を表現することにより、音質の知識がなくても直感的に音質の設定状態を感じ取ることができる。【課題】音質の表現手段【解決手段】音質を（低音域、中音域、高音域）または（低音域、全帯域、高音域）の３領域に分割し、それぞれを光の３原色に割り当てることで、音色のパターンを色のパターンで表現する。【選択図】図１
2005160003.tif 000002
【特許請求の範囲】
【請求項１】
赤色と緑色と青色の３色からなる発光機能を有することを第１の特徴とし、上記３色のそれぞれの発光機能の明るさを制御する手段を有することを第２の特徴とし、音質の低音成分を制御する制御量でもって上記３色のいずれか一色の発光機能の明るさを制御し、音質の高音成分を制御する制御量でもって、残りの発光機能のいずれか一色の明るさを制御する手段を有することを第３の特徴とし、残りの一色の発行機能を任意の制御量で制御する手段を有することを第４の特徴とする、音質制御表示手段。
【請求項３】
赤色と緑色と青色の３色からなる発光ダイオードを有することを第５の特徴とし、上記３色のそれぞれの発光ダイオードに流れる電流を制御する手段を有することを第６の特徴とし、音質の低音成分を制御する制御量でもって上記３色のいずれか一つの発光ダイオードの電流を制御し、音質の高音成分を制御する制御量でもって、残りのいずれか一つの発光ダイオードの電流を制御する手段を有することを第７の特徴とし、残りの一つの発行ダイオードの電流を任意の制御量で制御する手段を有することを第８の特徴とする、音質表示手段。
【発明の詳細な説明】
【発明の詳細な説明】
【発明の所属する技術分野】
【００１】音質の表現手段。
【背景技術】
【００２】音質を高音（Ｂａｓｓ）と低音（Ｔｒｅｂｌｅ）で表現する。
音質を表現する言葉で表現する。
音質に対応する周波数特性のグラフに対応させて表現する。
【発明が解決しようとしている課題】
【００３】音質表現が視覚と連動して直感的にわかりやすく、音質操作が視覚と連動して直感的にわかりやすい、音質表示手段。
【課題を解決するための手段】
【００４】図１は本発明の応用例音質を設定する回路の一例である。
Ｖｄｄは電源のプラス側、Ｖｓｓは電源のマイナス側、Ｔｏｔａｌは音質の強調度合いを設定する可変抵抗、Ｂａｓｅは低音の強調度合いを設定する可変抵抗、Ｔｒｅｂｌｅは高音の強調度合いを設定する可変抵抗、Ｖ＿ｔｏｔａｌは音質全体の強調度合いを設定する電圧、Ｖ＿ｂａｓｅは低音の強調度合いを設定する電圧、Ｖ＿ｔｒｅｂｌｅは高音の強調度合いを設定する電圧、ＱＲは低音の強調を決定する電圧によって発光ダイオードに電流を流すための電圧ー電流変換用トランジスタ、ＱＧは音質全体の強調を決定する電圧によって発光ダイオードに電流を流すための電圧ー電流変換用トランジスタ、ＱＴは高音の強調を決定する電圧によって、発光ダイオードに電流を流すための電圧ー電流変換用トランジスタ、Ｒ＿ｒｅｄは低音の強調を決定する電圧と発光ダイオードに流す電流の比率を決定する抵抗、Ｒ＿ｇｒｅｅｎは音質全体の強調を決定する電圧と発光ダイオードに流す電流の比率を決定する抵抗、Ｒ＿ｂｌｕｅは高音の強調を決定する電圧と発光ダイオードに流す電流の比率を決定する抵抗、Ｒｅｄは赤色発光ダイオード、Ｇｒｅｅｎは緑色発光ダイオード、Ｂｌｕｅは青色発光ダイオード、である。
【００５】音質制御の手法は数多くあるが、最も重要で大多数の実例は、中音に対する低音の強調と、中音に対する高音の強調である。商品につけられた機能はバスとトレブルという名称が一般的である。
この実施例では、低音の強調は可変抵抗器Ｂａｓｅが、高音の強調度合いは可変抵抗器Ｔｒｅｂｌｅが、それぞれ受け持つ。
そして、低音と高音の全体の強調度合いを可変抵抗器Ｔｏｔａｌが受け持つ。
例えば、ＢａｓｅとＴｒｅｂｌｅで低音と高音の適度にバランスした音質を決定しておいて、共通の強調度合いをＴｏｔａｌで調整する。三色の配合により、多様な色相と色彩の表現ができるが、最も標準的な音質で例えば白色になるよう、Ｒ＿ｒｅｄ、Ｒ＿ｇｒｅｅｎ、Ｒ＿ｔｒｅｂｌｅ、の値を調整しておくことによって、白色を規準に、緑、オレンジ、青緑、紫など、音質調整と色相色彩が関連づけられる。
【００６】色具合は、目盛りや数値などとちがって、直感的で憶えやすい。
もともと、音楽や音質そのものが直感的に捕らえられる性質があることから、色具合と音質の対応は感覚的になじむものがある。
実際の実験結果でも、音質に関する知識がなくても、色具合で音質の設定がどのようになっているか、一目でわかる。特に、近年の音質の設定状態の表示に関して、モード切替による、数値表示やグラフィック表示となっていることから、設定や確認が直感的でなく、操作に、何らかのもどかしさを感じる、という一般の評価が多い
【００７】実施例では、発光ダイオードを使っているが、発光の手段は本質とするところではない。
また、どの音質とどの色を対応させるかについても、本質とするところではない。
【発明を実施するための最良の形態】
【００８】  音質制御のモニター
【発明の効果】
【００９】音質制御の操作状態が視覚で直感的にわかりやすい。
例えば、音の波長と光の波長の長短を合わせる意味で、低音を赤色、中音もしくは全帯域を緑色、高音を青色とした場合、低音が強い場合は赤色成分が強い色になり、高音が強い場合は青色成分が強くなる。
例えば、全帯域でバランスがとれた音質を白色になるよう、色合わせをしておくことによって、低音と高音の強調度合いが強ければ鮮やかな紫色になる。
低音も高音も弱ければ緑になり、低音が弱く高音が強ければ青緑になり、低音が強く高音が弱ければオレンジ色となる。このように、音質の設定状態が色で確認できるようになることから、楽曲に最適な音質や好みの音質になっているかどうか確認しやすい。特に、数値や目盛りの表示よりも一目で確認できることから、車載用のオーディオセットなど、運転中での確認に便利であり、音質の知識がなくても、視覚と聴覚の学習効果によって色と音質の関連性がわかるようになる。
【図面の簡単な説明】
【０１０】
【図１】一実施例の回路図
【符号の説明】
【０１１】Ｖｄｄ          電源のプラス側
Ｖｓｓ          電源のマイナス側
Ｔｏｔａｌ      音質の強調度合いを設定する可変抵抗
Ｂａｓｅ        低音の強調度合いを設定する可変抵抗
Ｔｒｅｂｌｅ    高音の強調度合いを設定する可変抵抗
Ｖ＿ｔｏｔａｌ  音質全体の強調度合いを設定する電圧
Ｖ＿ｂａｓｅ    低音の強調度合いを設定する電圧
Ｖ＿ｔｒｅｂｌｅ高音の強調度合いを設定する電圧
ＱＲ            電圧ー電流変換用トランジスタ
ＱＧ            電圧ー電流変換用トランジスタ
ＱＴ            電圧ー電流変換用トランジスタ
Ｒ  ｒｅｄ      発光ダイオードに流す電流の比率を決定する抵抗
Ｒ＿ｇｒｅｅｎ  発光ダイオードに流す電流の比率を決定する抵抗
Ｒ＿ｂｌｕｅ    発光ダイオードに流す電流の比率を決定する抵抗
Ｒｅｄ          赤色発光ダイオード
Ｇｒｅｅｎ      緑色発光ダイオード
Ｂｌｕｅ        青色発光ダイオード
【図１】
2005160003.tif 000003